(57)【要約】      （修正有）【課題】ストロボ光射出面前側を含む任意位置に光拡散板を回動して停止させることができるフラップ型の光拡散板付ストロボを提供する。【解決手段】ストロボ光射出面３を一辺側の端面に設けたストロボ本体２と、このストロボ本体２に回動可能に軸支され、ストロボ本体２のストロボ光射出面３を覆う位置と、ストロボ本体面に添接する位置とにわたって回動可能な光拡散板１１とを備えた光拡散板付ストロボ１であって、光拡散板１１の各軸着部の近傍位置において、一対の切り込み１４ａ、１４ｂを設け、この一対の切り込み１４ａ、１４ｂの幅寸法の範囲で圧縮状態として各軸着部を対応する軸受孔に嵌装することで、各軸着部の対応する軸受孔に対する回動摩擦力を、光拡散板１１の一辺側の辺方向への拡開力を利用して増大する摩擦力増大部を設けた構成とした。【選択図】図１
2010032751.tif 000002
【特許請求の範囲】
【請求項１】
ストロボ本体と、
このストロボ本体に設けた一対の軸受部に、一辺両隅部近傍の軸着部を嵌装して回動可能に軸支され、ストロボ本体のストロボ光射出面を覆う位置と、ストロボ本体面に添接する位置とにわたって回動可能な光拡散板とを備えた光拡散板付ストロボであって、
前記光拡散板の一辺側に切り込みを設け、一辺側を前記切り込みの幅寸法の範囲で圧縮状態として各軸着部を対応する軸受部に嵌装することで、各軸着部の対応する軸受部に対する回動摩擦力を、前記光拡散板の一辺側の辺方向への拡開力を利用して増大する摩擦力増大部を設けたことを特徴とする光拡散板付ストロボ。
【請求項２】
ストロボ光射出面を一辺側の端面に設けたストロボ本体と、
このストロボ本体の一辺側に設けた一対の軸受部に、一辺両隅部近傍の軸着部を嵌装して回動可能に軸支され、ストロボ本体のストロボ光射出面を覆う位置と、ストロボ本体面に添接する位置とにわたって回動可能な光拡散板とを備えた光拡散板付ストロボであって、
前記光拡散板の各軸着部の近傍位置において、一辺側に一対の切り込みを設け、一辺側を前記一対の切り込みの幅寸法の範囲で圧縮状態として各軸着部を対応する軸受部に嵌装することで、各軸着部の対応する軸受部に対する回動摩擦力を、前記光拡散板の一辺側の辺方向への拡開力を利用して増大する摩擦力増大部を設けたことを特徴とする光拡散板付ストロボ。
【発明の詳細な説明】
【技術分野】
【０００１】
本発明は、光拡散板付ストロボに関するものである。
【背景技術】
【０００２】
例えば、デジタルカメラ等による被写体撮影時においては、照明光を被写体に照射する外付けのストロボをカメラに取り付けて被写体撮影を実行することが多く行なわれている。
【０００３】
このようなストロボを併用する撮影時においては、ストロボ光による被写体の照明状態を適切にし良好な被写体写真（画像）を得るために、ストロボのストロボ光射出面に対して光拡散板を取り付けてストロボ光を拡散させる場合が多い。
【０００４】
この場合、光拡散板のストロボ光射出面に対する取り付け、取り外しは、着脱式とする構成とする場合が多い。
【０００５】
特許文献１には、金属製のキャビネット内にストロボランプを配置するとともに、拡散板の周辺支持用の受け片を設け、ストロボランプの前面に拡散板を設けて、拡散板を前記受け片により着脱式で挟持するように構成したストロボ装置が開示されている。
【特許文献１】特開２００３−２２２９４０号公報
【発明の開示】
【発明が解決しようとする課題】
【０００６】
本発明は、上記事情に鑑みてなされたものであり、極めて簡略な構成の基にストロボ光射出面前側を含む任意位置に光拡散板を回動して停止させることができ、光拡散板の取り扱い操作性の向上を図ったフラップ型の光拡散板付ストロボを提供することを目的とするものである。
【課題を解決するための手段】
【０００７】
本発明は、ストロボ本体と、このストロボ本体に設けた一対の軸受部に、一辺両隅部近傍の軸着部を嵌装して回動可能に軸支され、ストロボ本体のストロボ光射出面を覆う位置と、ストロボ本体面に添接する位置とにわたって回動可能な光拡散板とを備えた光拡散板付ストロボであって、前記光拡散板の一辺側に切り込みを設け、一辺側を前記切り込みの幅寸法の範囲で圧縮状態として各軸着部を対応する軸受部に嵌装することで、各軸着部の対応する軸受部に対する回動摩擦力を、前記光拡散板の一辺側の辺方向への拡開力を利用して増大する摩擦力増大部を設けたことを最も主要な特徴とする。
【発明の効果】
【０００８】
請求項１記載の発明によれば、ストロボ本体の軸受部に回動可能に軸支される光拡散板に、その一辺側の辺方向への拡開力を利用して増大する切り込みを利用した摩擦力増大部を設けたことにより、極めて簡略な構成の基にストロボ光射出面前側を含む任意位置に光拡散板を回動して停止させることができ、光拡散板の取り扱い操作性が向上した光拡散板付ストロボを提供することができる。
【０００９】
請求項２記載の発明によれば、ストロボ本体の軸受部に回動可能に軸支される光拡散板に、その一辺側の辺方向への拡開力を利用して増大する一対の切り込みを利用した摩擦力増大部を設けたことにより、極めて簡略な構成の基にストロボ光射出面前側を含む任意位置に光拡散板を回動して停止させることができ、光拡散板の取り扱い操作性が向上した光拡散板付ストロボを提供することができる。
【発明を実施するための最良の形態】
【００１０】
本発明は、ストロボ光射出面を一辺側の端面に設けたストロボ本体と、このストロボ本体の一辺側に設けた一対の軸受部に、一辺両隅部近傍の軸着部を嵌装して回動可能に軸支され、ストロボ本体のストロボ光射出面を覆う位置と、ストロボ本体面に添接する位置とにわたって回動可能な光拡散板とを備えた光拡散板付ストロボであって、前記光拡散板の各軸着部の近傍位置において、一辺側に一対の切り込みを設け、一辺側を前記一対の切り込みの幅寸法の範囲で圧縮状態として各軸着部を対応する軸受部に嵌装することで、各軸着部の対応する軸受部に対する回動摩擦力を、前記光拡散板の一辺側の辺方向への拡開力を利用して増大する摩擦力増大部を設けた構成により、上記目的を実現した。
【実施例】
【００１１】
以下に、本発明の実施例に係る光拡散板付ストロボについて図面を参照して詳細に説明する。
【００１２】
本実施例に係る光拡散板付ストロボ１は、図１に示すように、ストロボ光射出面３を一辺側の端面（正面）に設けた例えば略直方体状のストロボ本体２と、このストロボ本体２の一辺側に取り付けたフラップ型の略四角薄板状の光拡散板１１と、を有している。
【００１３】
前記ストロボ光射出面３は、ストロボ本体２内に内蔵したストロボ発光ランプからの光を外方に向けて射出するようになっている。
【００１４】
前記光拡散板１１は、例えば弾力を有する白色合成樹脂材により略四角薄板状に形成されるとともに、公知のように一面から受光した光を拡散光として他面から射出するように加工されている。
【００１５】
前記ストロボ本体２の一辺から内方に向けて、光拡散板１１をストロボ本体２の上面に添接させるための光拡散板１１の外形寸法より若干大きい形状、寸法で平坦な光拡散板受段部４を設けている。
【００１６】
そして、光拡散板受段部４の一辺側端部両隅と、ストロボ本体２の上面とを画する両側壁には、光拡散板１１用の一対の軸受部である軸受孔５ａ、５ｂを設けている。
【００１７】
一方、前記光拡散板１１は、図２上欄に示すように、前記軸受孔５ａ、５ｂに取り付ける側の一辺１１ａ両隅に連なる両側辺１２ａ、１２ｂに、すなわち、一辺１１ａ両隅近傍位置に前記軸受孔５ａ、５ｂに嵌装する一対の突起状の軸着部１３ａ、１３ｂを設けている。
【００１８】
また、前記光拡散板１１の一辺１１ａには、図２に示すように、この光拡散板１１の各軸着部１３ａ、１３ｂの近傍に位置して他辺１１ｂ側に向けて例えばＶ状の一対の切り込み１４ａ、１４ｂを設けている。
【００１９】
ここで、前記光拡散板１１のストロボ本体２に対する取り付け過程について図２を参照して説明する。
【００２０】
前記光拡散板１１を用意し、図２中欄に示すように、この光拡散板１１の一辺１１ａ側に辺方向への圧縮力を付与して、前記一対の切り込み１４ａ、１４ｂの幅寸法の範囲で縮んだ状態に変形する。
【００２１】
次に、図２中欄に示すように、この光拡散板１１の一辺１１ａ側を前記ストロボ本体２の光拡散板受段部４に対峙させ、さらに、光拡散板１１の各軸着部１３ａ、１３ｂを対応する軸受孔５ａ、５ｂに各々強制的に嵌装する。
【００２２】
これにより、前記光拡散板１１の一辺１１ａ側において、前記切り込み１４ａ、１４ｂ部分の圧縮力に抗する辺方向外側への拡開力が生じた状態となり、各軸着部１３ａ、１３ｂの対応する軸受孔５ａ、５ｂに対する回動摩擦力が各々増大する。
【００２３】
すなわち、前記光拡散板１１の切り込み１４ａ、１４ｂの領域が軸受孔５ａ、５ｂに対する摩擦力増大部１５として機能するように構成している。
【００２４】
上述した本実施例に係る光拡散板付ストロボ１によれば、前記光拡散板１１の切り込み１４ａ、１４ｂの領域に軸受孔５ａ、５ｂに対する摩擦力増大部１５として機能する切り込み１４ａ、１４ｂを設けた簡略構成の基に、前記光拡散板１１をストロボ本体２の光拡散板受段部４に添着する位置（収納位置）、図４に示す光拡散板１１がストロボ本体２の前方に回動した位置、図５に示す光拡散板１１がストロボ光射出面３の前側を覆う位置（拡散光射出位置）というように略２７０度の範囲で所望の位置に容易に回動させることができ、かつ、その位置で摩擦力増大部１５の作用によって各々停止させることができる。
【００２５】
これにより、前記前記光拡散板１１の取り扱い操作性が極めて良好となり、光拡散板１１による拡散光射出での被写体照明、光拡散板１１を使用しない直接光射出による被写体照明を何等支障なく行なうことができ、所望の被写体写真を得ることに寄与し得るフラップ型の光拡散板付ストロボ１を提供することができる。
【産業上の利用可能性】
【００２６】
本発明の光拡散板付ストロボは、ストロボ本体がクリップオン型かグリップかを問わず、また、ストロボ本体が大型か小型かを問わず広範に適用可能である。さらに、ストロボ内蔵型の各種カメラ（デジタルカメラ、スチールカメラ等）のストロボ部分にも応用可能である。
【図面の簡単な説明】
【００２７】
【図１】本発明の実施例に係る光拡散板付ストロボの斜視図である。
【図２】本実施例に係る光拡散板付ストロボにおける本体に対する光拡散板の取り付け過程を示す説明図である。
【図３】本実施例に係る光拡散板付ストロボにおける光拡散板を本体に添接する位置とした状態の平面図である。
【図４】本実施例に係る光拡散板付ストロボにおける光拡散板を本体前方に回動した状態の平面図である。
【図５】本実施例に係る光拡散板付ストロボにおける光拡散板がストロボ光射出面を覆う状態とした場合の側面図である。
【符号の説明】
【００２８】
１    光拡散板付ストロボ
２    ストロボ本体
３    ストロボ光射出面
４    光拡散板受段部
５ａ  軸受孔
５ｂ  軸受孔
１１    光拡散板
１１ａ  一辺
１１ｂ  他辺
１２ａ  側辺
１２ｂ  側辺
１３ａ  軸着部
１３ｂ  軸着部
１４ａ  切り込み
１４ｂ  切り込み
１５    摩擦力増大部
【図１】
2010032751.tif 000003
【図２】
2010032751.tif 000004
【図３】
2010032751.tif 000005
【図４】
2010032751.tif 000006
【図５】
2010032751.tif 000007